(57)【要約】【課題】安価かつ確実に膜破断の発生を検知する手段を備えた膜処理装置及び膜破断検知方法を提供する。【解決手段】中空糸膜モジュール１の処理水出口ノズル１２ａは処理水配管４１を介して膜破断検知装置５０に接続されている。中空糸膜４に破断が有る場合、コンプレッサＣからの加圧気体は該破断部を通過して処理水室１２に流出し、さらに処理水配管４１を介して膜破断検知装置５０の電極５１ａ，５１ｂ間を通過する。処理水中に気泡が存在する場合には、この気泡が電極５１ａ，５１ｂ間を通過する際に、電極５１ａ，５１ｂ間の電流又は電圧が変化する。この変化パターンから膜破断を検知する。【選択図】図１
2005349253.tif 000002
【特許請求の範囲】
【請求項１】
被処理液を濾過する膜を備えた膜処理装置において、
該膜で隔てられた一方の側に気体又は気液混合液を流通させる手段と、
該膜で隔てられた他方の側における液の電気抵抗の変化に基づいて膜破断を検知する膜破断検知手段と
を備えたことを特徴とする膜処理装置。
【請求項２】
請求項１において、前記膜破断検知手段が、１対の電極と、該電極に定電圧を印加する電源と、該電極間を流れる電流を測定する測定部と、測定した電流値の変化のパターンから膜破断を判定する判定部とを有することを特徴とする膜処理装置。
【請求項３】
請求項１において、前記膜破断検知手段が、１対の電極と、該電極間に定電流を通電する電源と、該電極間に発生する電圧を測定する測定部と、測定した電圧値の変化のパターンから膜破断を判定する判定部とを有することを特徴とする膜処理装置。
【請求項４】
請求項１において、前記膜破断検知手段が、被処理液の導電率を測定する手段と、測定した導電率の変化のパターンから膜破断を判定する判定部とを有することを特徴とする膜処理装置。
【請求項５】
請求項２ないし４のいずれか１項において、前記膜を透過した液が内部に流通される導電性の管状部材が設けられており、前記１対の電極のうちの一方は該管状部材であり、他方は該管状部材と絶縁部材を介して隔てられている針状電極であることを特徴とする膜処理装置。
【請求項６】
被処理液を濾過する膜を備えた膜処理装置の該膜の破断を検知する方法において、
該膜で隔てられた一方の側に気体又は気液混合液を流通させ、
該膜で隔てられた他方の側における液の電気抵抗の変化に基づいて膜破断を検知する
ことを特徴とする膜処理装置における膜破断検知方法。
【請求項７】
請求項６において、該膜で隔てられた前記他方の側の液と接するように１対の電極を配置し、該電極間に電圧を印加し、この電極間の電圧、電流又は導電率の変化のパターンから膜破断の発生を検知することを特徴とする膜処理装置における膜破断検知方法。
【請求項８】
請求項７において、膜が破断している膜処理装置に気体又は気液混合液を流通させて前記電圧、電流又は導電率の変化パターンを検出し、この変化パターンを記憶手段に記憶させておき、
膜破断が未確認の膜処理装置に気体又は気液混合液を流通させて前記電圧、電流又は導電率のパターンを検出し、このパターンを前記記憶手段に記憶された変化パターンと対比して膜破断の有無を判定することを特徴とする膜処理装置における膜破断検知方法。
【請求項９】
請求項６ないし８のいずれか１項において、膜破断の検知工程を、前記膜処理装置の洗浄工程において又は洗浄工程から通液工程に移る間に行うことを特徴とする膜破断検知方法。
【発明の詳細な説明】
【技術分野】
【０００１】
本発明は、被処理水を濾過する膜を備えた中空糸膜分離装置などの膜処理装置に係り、特に膜破断を検知する手段を備えた膜処理装置に関する。また、本発明は、膜処理装置における膜破断検知方法に関する。
【背景技術】
【０００２】
膜処理装置における膜の破断を検知する技術として、空気逆洗工程において破断箇所から漏れる気泡を目視、超音波センサ、粒子計、濁度計、光電センサによって検知する技術が提案されている。
【０００３】
例えば、特開２００１−２６９５５１号公報には、浄水処理装置における中空糸膜の破断を超音波流速計を用いて検知する方法が開示されている。当該公報の膜破断検知方法においては、処理水室を処理水で満たし、循環水室に加圧気体を吹き込む。中空糸膜が破断している場合には、加圧気体がこの破断部から中空糸膜内を通って処理水室に移動し、さらに処理水室に接続された処理水管から流出する。この処理水管内を通過する気体を該処理水管に設けた超音波流速計を用いて検出することによって、中空糸膜の破断を検知する。
【０００４】
また特開２０００−１２６５６３号公報には、ハウジング内が中空糸膜によって原水室と処理水室とに区画され、該ハウジングの該処理水室と接続された処理水排出管に空気溜まりが設けられた中空糸膜濾過装置において、原水室内に加圧空気を供給し、該加圧空気が中空糸膜の破断箇所から処理水室及び処理水排出管を通って空気溜まりに溜まり、該空気溜まりに溜まった空気を目視や水位計等で検知することによって中空糸膜の破断を確認する方法が開示されている。
【０００５】
さらに、特開２００３−１４４８６６号公報には、中空糸膜モジュール内が中空糸膜によって上部側の原水室と下部側の処理水室に区画され、該原水室の上部に中空糸膜破断検知用透明管を備えた気泡抜管が接続された中空糸膜モジュール式濾過装置において、空気逆洗時に処理水室内に圧入された空気が処理水室から中空糸膜の破断箇所及び原水室を通って気泡抜管に備えられた中空糸膜破断検知用透明管を通過し、該透明管内を通過する空気を目視又は光電センサで検知することにより、膜破断と判定する技術が開示されている。
【特許文献１】特開２００１−２６９５５１号公報
【特許文献２】特開２０００−１２６５６３号公報
【特許文献３】特開２００３−１４４８６６号公報
【発明の開示】
【発明が解決しようとする課題】
【０００６】
従来の膜処理装置の膜破断検知方法のうち、特開２０００−１２６５６３号公報及び特開２００３−１４４８６６号公報のように膜破断を目視により検知する場合、検知が不確実なものとなる。
【０００７】
特開２００１−２６９５５１号公報の超音波流速計などのように、超音波センサによって膜破断を検知する場合、超音波センサが高価である。また、粒子計や濁度計を用いる場合も、これらの計器が高価である。
【０００８】
特開２００３−１４４８６６号公報のように光電センサを用いる場合、発光部、受光部及び電気信号への変換部などが必要で、装置の構成要素が多く高コストである。
【０００９】
本発明は、上記問題点を解消し、低コストにて確実に膜破断の発生を検知することができる膜処理装置及び膜破断検知方法を提供することを目的とする。
【課題を解決するための手段】
【００１０】
本発明（請求項１）の膜処理装置は、被処理液を濾過する膜を備えた膜処理装置において、該膜で隔てられた一方の側に気体又は気液混合液を流通させる手段と、該膜で隔てられた他方の側における液の電気抵抗の変化に基づいて膜破断を検知する膜破断検知手段と
を備えたことを特徴とするものである。
【００１１】
請求項２の膜処理装置は、請求項１において、前記膜破断検知手段が、１対の電極と、該電極に定電圧を印加する電源と、該電極間を流れる電流を測定する測定部と、測定した電流値の変化のパターンから膜破断を判定する判定部とを有することを特徴とするものである。
【００１２】
請求項３の膜処理装置は、請求項１において、前記膜破断検知手段が、１対の電極と、該電極間に電流を印加する電源と、該電極間に発生する電圧を測定する測定部と、測定した電圧値の変化のパターンから膜破断を判定する判定部とを有することを特徴とするものである。
【００１３】
請求項４の膜処理装置は、請求項１において、前記膜破断検知手段が、被処理液の導電率を測定する手段と、測定した導電率の変化のパターンから膜破断を判定する判定部とを有することを特徴とするものである。
【００１４】
請求項５の膜処理装置は、請求項２ないし４のいずれか１項において、前記膜を透過した液が内部に流通される導電性の管状部材が設けられており、前記１対の電極のうちの一方は該管状部材であり、他方は該管状部材と絶縁部材を介して隔てられている針状電極であることを特徴とするものである。
【００１５】
本発明（請求項６）の膜破断検知方法は、被処理液を濾過する膜を備えた膜処理装置の該膜の破断を検知する方法において、該膜で隔てられた一方の側に気体又は気液混合液を流通させ、該膜で隔てられた他方の側における液の電気抵抗の変化に基づいて膜破断を検知することを特徴とするものである。
【００１６】
請求項７の膜破断検知方法は、請求項６において、該膜で隔てられた前記他方の側の液と接するように１対の電極を配置し、該電極間に電圧を印加し、この電極間の電圧、電流又は導電率の変化のパターンから膜破断の発生を検知することを特徴とするものである。
【００１７】
請求項８の膜破断検知方法は、請求項７において、膜が破断している膜処理装置に気体又は気液混合液を流通させて前記電圧、電流又は導電率の変化パターンを検出し、この変化パターンを記憶手段に記憶させておき、膜破断が未確認の膜処理装置に気体又は気液混合液を流通させて前記電圧、電流又は導電率のパターンを検出し、このパターンを前記記憶手段に記憶された変化パターンと対比して膜破断の有無を判定することを特徴とするものである。
【００１８】
請求項９の膜破断検知方法は、請求項６ないし８のいずれか１項において、膜破断の検知工程を、前記膜処理装置の洗浄工程において又は洗浄工程から通液工程に移る間に行うことを特徴とするものである。
【発明の効果】
【００１９】
本発明の膜処理装置及び膜破断検知方法にあっては、膜が破断している場合、気泡が膜を隔てた一方の側から破断部を通って他方の側に流入し、該他方の側の液に気泡が混入する。そして、この気泡が電気抵抗の検知部を通過することにより液の電気抵抗が変化する。従って、この電気抵抗の変化から、膜破断を検知することができる。
【００２０】
本発明では、例えば、膜の前記他方の側に１対の電極を配置しておき、膜破断が生じたときには気泡が該電極間を流れるように構成しておく。この電極間に気泡が流入してくると、電極間に液のみが流れている場合と比較して、電極間の電気抵抗が変化する。従って、この電気抵抗の変化に基づいて膜破断の発生を検知することができる。
【００２１】
本発明の膜処理装置にあっては、液の電気抵抗の変化の検知は簡易な装置で行うことができるため、設備費が安価なものとなる。
【００２２】
この液の抵抗の変化を検知するには、該１対の電極間に定電圧を印加しておき、電極間の電流値を検知してもよい。
【００２３】
また、電極間に定電流を通電しておき、電極間の電圧の変化を検知してもよい。さらに、電極間の導電率の変化を検知し、この導電率の変化を液の電気抵抗の変化の指標値としてもよい。
【００２４】
この電流値、電圧値又は導電率の変化から膜の破断を判定するには、破断した膜を有する膜処理装置に気体又は気液混合液を流通させて前記電圧、電流又は導電率の変化パターンを検出し、この変化パターンを記憶手段に記憶させておき、膜破断が未確認の膜処理装置に気体又は気液混合液を流通させて前記電圧、電流又は導電率のパターンを検出し、このパターンを前記記憶手段に記憶された変化パターンと対比するのが簡便である。
【００２５】
なお、膜破断の検知工程は、膜処理装置の洗浄工程あるいは洗浄工程から通液工程（膜濾過運転工程）に移行するときに行うのが好ましい。このようにすれば、膜濾過運転工程を中断することなく膜破断を検知することができる。
【００２６】
なお、請求項５のように導電性管状部材を電極として利用することにより、膜破断検知手段を小スペースにて設置することができる。また、電極を針状とすることにより、気泡が電極に接触した際の電流又は電圧変動が顕著となるので、膜破断検知が鋭敏なものとなる。
【発明を実施するための最良の形態】
【００２７】
以下、図面を参照して本発明について詳細に説明する。
【００２８】
第１図は本発明の実施の形態に係る膜処理装置の模式図、第２図は第１図の膜破断検知装置のブロック図である。なお、第１図では図面を明瞭とするために中空糸膜を４本としているが、実際には中空糸膜は多数本配置されている。
【００２９】
内圧式中空糸膜モジュール１のケーシング２内に、複数本の中空糸膜４が束ねられて配置されている。この中空糸膜４の束の下端及び上端はそれぞれ合成樹脂等よりなる封止材６，８によって結束されている。この封止材６，８は、例えば円盤状とされ、その外周面若しくは外周縁部がケーシング２の内面に水密的に接している。下側の封止材６の下側に原水室１０が形成され、上側の封止材８の上側に循環水室１４が形成され、両封止材６，８の間に処理水室１２が形成されている。
【００３０】
中空糸膜４の上端側は封止材８を貫通しており、その上端の開口４ａは循環水室１４に臨んでいる。同様に、中空糸膜４の下端側は封止材６を貫通しており、その下端の開口４ｂは原水室１０に臨んでいる。
【００３１】
ケーシング２の原水室１０側には、原水入口ノズル１０ａ及び気体入口ノズル１０ｂが設けられている。原水入口ノズル１０ａは、原水配管２１、原水弁Ｖ１及び原水ポンプＰを介して原水槽２０に接続されている。原水配管２１の原水ノズル１０ａと原水弁Ｖ１との間の箇所から、排水弁Ｖ２を備えた排水配管２４が分岐している。気体入口ノズル１０ｂはバルブＶ３を備えた気体配管２７を介してコンプレッサＣと接続されている。
【００３２】
ケーシング２の循環水室１４側には循環水出口ノズル１４ａが設けられている。この循環水出口ノズル１４ａは、循環水弁Ｖ４を備えた循環水配管３１を介して原水槽２０と接続されている。この循環水配管３１の循環水出口ノズル１４ａと循環水弁Ｖ４との間の箇所から、ベント弁Ｖ５を備えたベント配管３３が分岐している。
【００３３】
ケーシング２の処理水室１２側の上部には処理水出口ノズル１２ａが設けられている。この処理水出口ノズル１２ａは処理水配管４１を介して膜破断検知装置５０に接続されており、この膜破断検知装置５０は処理水配管４２を介して処理水槽４０に接続されている。なお、図１は内圧式の場合を示しているが、本発明はこれに限らず外圧式でも実施できる。
【００３４】
第２図の通り、膜破断検知装置５０は、１対の電極５１ａ，５１ｂからなる測定部５１と、測定部５１に電圧を印加する電源５２と、測定部５１の電流、電圧又は導電率を計測する計測部５３と、電流、電圧又は導電率の経時変化を記憶する記憶部５５と、電流、電圧又は導電率の経時変化のパターンから気泡の発生を判定する判定部５６とからなる。
【００３５】
前記電極５１ａ，５１ｂは、処理水室１２から排出される処理水と接している。処理水のｐＨの影響を受けないように、電極５１ａ，５１ｂの材料は白金やステンレスであることが好ましい。
【００３６】
次に、膜破断検知装置５０を定電圧方式とした場合の作動内容を説明する。電源５２が測定部５１の電極５１ａ，５１ｂ間に一定の電圧を印加する。この印加電圧により、電極５１ａ，５１ｂ間に処理水の電気抵抗に応じた電流が流れる。測定部５１を通過する処理水中に気泡が存在する場合には、この気泡が電極５１ａ，５１ｂ間を通過する際に、電極５１ａ，５１ｂ間の電流が変化する。
【００３７】
この電極５１ａ，５１ｂ間の電流値を計測部５３が計測する。
【００３８】
次いで、記憶部５５に記憶された電流値の変化パターンと、計測部５３で計測した電流値の経時変化パターンとが判定器５６で対比され、膜破断の有無が判定される。
【００３９】
膜破断検知装置５０を定電流方式とした場合には、電源５２が測定部５１の電極５１ａ，５１ｂ間に定電流が流れるように電圧を印加する。測定部５１を通過する処理水中に気泡が存在する場合には、この気泡が電極５１ａ，５１ｂ間を通過する際に、電極５１ａ，５１ｂ間の電圧が変化する。この電極５１ａ，５１ｂ間の電圧値を計測部５３が計測する。次いで、記憶部５５に記憶された電圧値の変化パターンと、計測部５３で計測した電圧値の経時変化パターンとが判定器５６で対比され、膜破断の有無が判定される。
【００４０】
膜破断検知装置５０を導電率検知方式とした場合には、電源５２が測定部５１の電極５１ａ，５１ｂ間に所定の電圧を印加し、電極５１ａ，５１ｂ間に電流を通電させる。測定部５１を通過する処理水中に気泡が存在する場合には、この気泡が電極５１ａ，５１ｂ間を通過する際に、電極５１ａ，５１ｂ間の導電率が変化する。この変化を計測部５３が計測し、次いで、記憶部５５に記憶された導電率の変化パターンと、計測された導電率の経時変化パターンとが判定器５６で対比され、膜破断の有無が判定される。
【００４１】
このように構成された膜処理装置の通常運転時及び洗浄運転時の水又は気体の流れは次の通りである。
【００４２】
［通常運転時］
通常運転時には、弁Ｖ１，Ｖ４を開とし、その他の弁（Ｖ２，Ｖ３，Ｖ５）を閉とし、原水ポンプＰを作動する。原水槽２０内の原水は、原水配管２１、原水ポンプＰ、弁Ｖ１を通り、原水入口ノズル１０ａから原水室１０内に流入する。原水室１０内の原水は、中空糸膜４の下端の開口４ｂから中空糸膜４内に流入し、この原水の一部は中空糸膜４を透過して処理水室１２内に流入し、残りは中空糸膜４の上端の開口４ａから循環水室１４内に流入する。  
処理水室１２内の処理水は処理水出口ノズル１２ａから流出し、処理水配管４１、膜破断検知装置５０及び配管４２を介して処理水槽４０に送水される。  
循環水室１４内の循環水は循環水出口ノズル１４ａから流出し、循環水配管３１、弁Ｖ４を介して原水槽２０に送水される。
【００４３】
［気水混合水による洗浄］
膜処理装置を気水混合水で洗浄するときには、上記通常運転の状態において、弁Ｖ３を開とし、コンプレッサＣを作動する。これにより、コンプレッサＣからの加圧気体が、原水ポンプＰによって供給された原水と共に中空糸膜４の内部を通過し、中空糸膜４を洗浄する。  
中空糸膜４の内部を通過した気体と原水の混合物は循環水室１４に流入し、さらに排水管３３を介して系外に排出される。
【００４４】
［気体による洗浄］
気体による洗浄を行うには、上記水及び気体の混合洗浄運転において、原水ポンプＰを停止し、弁Ｖ１を閉とした状態とする。これにより、中空糸膜４の内部や原水室１０内等に残留している原水と加圧気体との混合水によって中空糸膜４が洗浄される。
【００４５】
［膜破断の検知］
膜破断を検知するには、検知作動に先立って、まず膜破断が確認されている膜モジュールを第１図の通りに組み込み、上記通常運転を行って膜モジュール内に水を満たした後、上記「気水混合水による洗浄」を行う。  
この膜破断が存在する膜モジュールにおいて気水混合水による洗浄を行うと、コンプレッサＣからの加圧気体の一部は、中空糸膜４の破断部を通過して気泡となって処理水室１２に流出し、この気泡が処理水配管４１を介して膜破断検知装置５０を通過する。  
この気泡が膜破断検知装置５０を通過する際に電極５１ａ，５１ｂ間の導電率が変化する。即ち、電極５１ａ，５１ｂ間に気泡が入り込んでくると、電極５１ａ，５１ｂ間の電気抵抗が増大する。従って、電極５１ａ，５１ｂ間に定電圧電源から定電圧を印加しているときには、この電極５１ａ，５１ｂ間の電流値が低下し、気泡が電極５１ａ，５１ｂ間を通り過ぎると、電極５１ａ，５１ｂ間の電流値は元に戻る。
【００４６】
この気泡通過に伴う電流の変化を電圧変化に変換した波形図の一例が第４図（ｂ）に示されている。記憶部５５では、この電圧の変化パターンを記憶する。例えば、第４図（ｂ）の如き電圧の変化を２値化処理してパルス波形に変換し、パルスの周波数及び周期の平均値を記憶しておく。
【００４７】
実際の水処理装置に組み込まれた膜モジュールの膜破断検知を行うには、この膜モジュールについて気水混合水による洗浄を行い、膜破断検知装置５０によって電極５１ａ，５１ｂ間の電流変化に伴う電圧変化を測定する。膜破断が無ければ、通常は電圧は第４図（ａ）の如く一定となるので、判定部５６により膜破断なしと判定される。
【００４８】
変化パターンが検知される場合、判定部では、この検知された変化パターンを記憶されている変化パターンと対比し、膜破断であるか否かを判定する。例えば、電圧変化を２値化して得られたパルスパターンの周期及び周波数が記憶された平均値に基づいて定められる所定範囲内にあれば膜破断ありと判定し、該所定範囲外のものであれば膜破断なしと判定する。
【００４９】
なお、このように変化パターンを対比して膜破断の判定を行うため、原水水質の変動などの外乱に伴う電圧変化があっても膜破断とは判定されず、判定の精度がきわめて高いものとなる。
【００５０】
この説明では、定電圧電源により電極５１ａ，５１ｂ間に電流を通電して変化を測定しているが、定電流電源により定電流を電極５１ａ，５１ｂ間に通電し、気泡通過に伴う印加電圧変化を測定し、その変化パターンから膜破断を判定してもよい。
【００５１】
また、電極５１ａ，５１ｂ間の導電率を測定し、この導電率の変化パターンに基づいて膜破断を判定してもよい。
【００５２】
膜破断検知工程の終了後、膜破断が有る場合は膜モジュール１内の中空糸膜４を交換し、次いで前記通常運転を再開する。
【００５３】
上記実施の形態は本発明の一例であり、本発明は上記実施の形態に限定されるものではない。例えば、上記実施の形態では、洗浄運転と膜破断検知運転とを別としたが、洗浄運転中に膜破断検知装置５０をＯＮとして、膜破断の有無を検知するようにしてもよい。
【００５４】
上記実施の形態では、コンプレッサＣを原水室１０と接続し、中空糸膜４の内部に気体を導入するようにしたが、コンプレッサＣを処理水室１２と接続し、中空糸膜４の外側に気体を導入して気体逆洗するようにしてもよい。この場合、膜破断検知装置５０を、例えば循環水配管３１に設けることにより、膜破断を検知することができる。
【００５５】
上記実施の形態では膜モジュール１は内圧式中空糸モジュールであるが、外圧式中空糸モジュールであってもよい。この場合も、コンプレッサを原水側に設け、膜破断検知装置を処理水側に設けてもよく、逆にコンプレッサを処理水側に設け、膜破断検知装置を原水側に設けてもよい。
【００５６】
上記実施の形態では、膜モジュール１は１基であったが、２基以上あってもよい。膜モジュールが複数基ある場合、コンプレッサＣ及び膜破断検知装置５０は各モジュール毎に１つずつ設けられていてもよく、共用されていてもよい。コンプレッサＣ及び膜破断検知装置５０を共用した場合における各膜モジュールの膜破断検知手順は、例えば以下の通りである。
【００５７】
コンプレッサＣからの加圧気体を第１の膜モジュールのみに導入し、膜破断検知装置によって膜破断の有無を検知する。第１の膜モジュールの膜破断検知が終了した後、第１の膜モジュールへの加圧気体の導入を停止し、次いで第２の膜モジュールのみに加圧気体を導入し、膜破断検知装置によって膜破断の有無を検知する。同様に、第３の膜モジュールから最後の膜モジュールの膜破断検知を順次行う。
【００５８】
膜破断の発生を検知すると、例えば管理室内の警告ランプが点滅し、どの膜モジュールに膜破断が発生したかを保守管理担当者に通知する。通知を受けた保守管理担当者は膜破断が発生している膜モジュールの運転を停止し、膜モジュールを新しいものに交換し、通常運転を再開する。膜破断した膜モジュールは修理し、再利用する。
【００５９】
上記実施の形態では膜として中空糸膜を用いたが、これに限定されるものではなく、例えばスパイラル膜等であってもよい。
【００６０】
本発明では、上記の電極５１ａ，５１ｂなどの電極は通水用の配管部材を利用して設置されてもよい。このようにすれば、膜破断検知装置の構成が簡易化される。
【００６１】
第３図はかかる構成とした配管部材としてのエルボ付近の断面図である。なお、第３図には、定電圧源として乾電池を用い、電極間に流れる電流の変化をトランジスタで増幅して検知するように構成した定電圧方式の膜破断検知回路図が示されている。
【００６２】
第３図において、ステンレス製エルボ６３に樹脂継手６４が接続されている。樹脂継手６４に設けられた孔６６内に針状電極６５が挿入され、接着剤６７によってこの電極６５が孔６６に固着されている。この電極６５の先端は樹脂継手６４の内壁から突出している。
【００６３】
ステンレス製エルボ６３がＮＰＮ型トランジスタＴのベースと接続され、電極として用いられている。トランジスタＴのコレクタが抵抗Ｒ２，Ｒ１を介して電極６５と接続されている。トランジスタＴのエミッタが乾電池６８の陰極と接続されている。乾電池６８の陽極が上記抵抗Ｒ１とＲ２との間の箇所と接続されている。抵抗Ｒ２の電圧降下を測定するように電圧計Ｖが設けられている。エルボ６３と電極６５との間に乾電池６８から定電圧が印加されている。エルボ６３内を水のみが流通するときは、エルボ６３と電極６５との電流値は一定であるが、エルボ６３内を気泡が通過するとこの電流値が低下する。この電流変化がトランジスタＴで増幅され、トランジスタＴのコレクタ電流が変化し、電圧計Ｖで検出される抵抗Ｒ２の両端間の電圧が変化する。この電圧計Ｖの検出電圧の変化より、エルボ６３内の気泡通過が検知される。特に、この第３図の検知機構では気泡が針状電極６５に接することにより、電極６５を流れる電流値が大幅に変化するので、気泡を敏感に検知することができる。
【実施例】
【００６４】
以下、実施例を用いて本発明をより具体的に説明する。
【００６５】
［実施例１］
第１図の膜処理装置を用いて、膜破断の有無の検知を行った。
【００６６】
なお、中空糸膜４としては、内径１１５０μｍ、外径１９００μｍ、長さ１０００ｍｍ、分画分子量１３０００、有効膜面積０．１４ｍ２であるものを用いた。導電率計としては、第３図のものを用いた。抵抗Ｒ１は１ｋΩ、Ｒ２は２２ｋΩ、乾電池は９Ｖである。
【００６７】
上記構成を有する膜処理装置において、上記実施の形態で記載した通りの通常運転を数分間行った後、原水ポンプＰを停止し、コンプレッサＣを作動して、気体洗浄運転し、抵抗Ｒ２に生じる電圧を電圧計Ｖによって測定した。なお、第４図（ａ）は中空糸膜が切断されていないことを確認した膜モジュールにおける電圧の経時変化を示す図である。
【００６８】
次いで、予め中空糸の１本を切断した後、上記と同様の通常運転及び膜破断検知運転を行い、抵抗Ｒ２に生じる電圧を電圧計Ｖによって測定した。結果を第４図（ｂ）に示す。
【００６９】
第４図（ａ），（ｂ）の通り、膜が破断していると、電圧計Ｖの検出電圧が変化し、膜破断が検知される。
【図面の簡単な説明】
【００７０】
【図１】実施の形態に係る膜処理装置の模式図である。
【図２】図１の膜処理装置に組み込まれた膜破断検知装置のブロック図である。
【図３】実施例で用いられる膜破断検知装置を示す断面図である。
【図４】（ａ）は中空糸膜が切断されていない場合における電圧の経時変化を示す図であり、（ｂ）は中空糸膜が１本切断されている場合における電圧の経時変化を示す図である。
【符号の説明】
【００７１】
１  内圧式中空糸膜モジュール
２  ケーシング
４  中空糸膜
６，８  封止材
１０  原水室
１２  処理水室
１４  循環水室
２０  原水槽
４０  処理水層
５０  膜破断検知装置
５１ａ，５１ｂ  電極
６３  ステンレス製エルボ
６５  電極
【図１】
2005349253.tif 000003
【図２】
2005349253.tif 000004
【図３】
2005349253.tif 000005
【図４】
2005349253.tif 000006